(57)【特許請求の範囲】
【請求項１】
建設機械のキャブ内に本体が設けられ、内気循環と外気導入を切換可能に形成された空調装置において、前記キャブのドア側の外側面で当該ドア後方位置に外気導入口を設置し、
上記外気導入口の内側に外気フィルタボックスを設置して上記外気フィルタを収納し、この外気フィルタボックスをキャブ内で乗降口及びドア近傍まで延説し、前記外気フィルタを収納位置から乗降口及びドアまでドア側の外側面に沿ってスライド可能に形成し、
上記外気フィルタには乗降口及びドア方向に把持部を設け、該把持部の先端を上記外気フィルタボックスの乗降口及びドア近傍まで延設し、
上記外気フィルタボックスの延設部分の内側に内気導入口および内気フィルタを設置し、
この外気フィルタ及び内気フィルタを乗降口及びドアの近傍において着脱可能に形成したことを特徴とする建設機械の空調装置。
【発明の詳細な説明】
【技術分野】
【０００１】
本発明は建設機械の空調装置に関するものであり、特に、外気フィルタの着脱操作を容易にした建設機械の空調装置に関するものである。
【背景技術】
【０００２】
従来の此種建設機械の空調装置は、キャブ内に本体が設けられ、内気循環と外気導入を切換可能に形成されている。例えば、内外気切換部とは別体に外気導入部を形成し、キャブの背面に穿設された取付口に、外側から外気導入部を挿入して取り付けることにより、接続口、接続管を介して内外気切換部と外気導入部とが接続されて空調装置を組み立てる構成とし、これにより、内外気切換部とキャブとが切り離され、床板上に空調装置本体および内外気切換部を予め設置することを可能にした空調装置が知られている（特許文献１参照）。
【０００３】
図６〜図８はキャブの背面に外気導入口を設けた構成を示し、図６に示すように、キャブ５０内のほぼ中央位置にオペーレータ用のシート５１が設置され、キャブ５０の一側面に乗降口５２を開閉するドア５３が取り付けられている。前記シート５１の後部には空調装置６０が設置され、キャブ５０の背面に外気導入口６１が設けられている。キャブ５０の後方にはエンジンや油圧装置などの駆動装置（図示せず）が搭載され、ハウスカバー５４で被蔽してある。
【０００４】
図７に示すように、前記空調装置６０は、前記外気導入口６１の内側に外気フィルタボックス６２を設置してあり、この外気フィルタボックス６２に外気フィルタ６３が収納されている。また、前記空調装置６０には、外気導入口６１のほかに内気導入口６４が設けられ、内気導入口６４の内側に設けた内気フィルタボックス６５に内気フィルタ６６が収納されている。内気循環あるいは外気導入で取り入れられたエアは、エアコンユニット６７で空調されて、ダクト６８を通過して吹出し口６９からキャブ５０の内部に送り出される。一方、キャブ５０の後方に配設されたハウスカバー５４は、ハウスフレーム５５に開閉可能あるいは着脱可能に取り付けられている。また、前記外気導入口６１に対向した位置には、フレームカバー５６が装着されている。
【０００５】
図８に示すように、空調装置６０のメンテナンスの際、内気フィルタ６６を内気フィルタボックス６５から前方へ引き出すことにより、容易に内気フィルタ６６を取り外して清掃することができる。一方、外気フィルタ６３を清掃する場合は、先ずハウスカバー５４を開放した後に、さらにフレームカバー５６を取り外し、外気フィルタ６３をキャブ５０の後方へ取り出して清掃する。
【０００６】
図９〜図１１はキャブの側面に外気導入口を設けた構成を示し、図９および図１０に示すように、キャブ５０の側面に外気導入口６１が設けられ、この外気導入口６１を被蔽する点検カバー７０が、キャブ５０の側面にヒンジ７１を介して開閉可能に取り付けられている。また、点検カバー７０には空気取り入れ用の小窓７２が複数個開穿されている。
【０００７】
図１１に示すように、空調装置６０のメンテナンスの際は、点検カバー７０を開放して外気フィルタ６３をキャブ５０の側方へ取り出し、一方、内気フィルタ６６を前方へ引き出して、それぞれのフィルタを清掃する。
【０００８】
また、キャブの左側面部に、乗降口を開閉するドアがヒンジを介してセンタピラーに取り付けられ、該ドア後方の側面下側位置に外気フィルタの保守点検用開口部（外気導入口）を設け、この保守点検用開口部を開閉する点検カバーが、前記ドアのヒンジを共用して開閉可能に取り付けられている構成も知られている（特許文献２参照）。
【特許文献１】特開平６−１９９１２５号公報
【特許文献２】特開２００６−５７２４５号公報
【発明の開示】
【発明が解決しようとする課題】
【０００９】
特許文献１および図６〜図８に示すように、外気導入口と外気フィルタがキャブの背面に設けられた構成では、外気フィルタを着脱する際に、ハウスカバーを開放して、さらにフレームカバーを取り外す必要がある。
【００１０】
特許文献２および図９〜図１１に示すように、外気導入口と外気フィルタがキャブの側面に設けられた構成では、点検カバーを開放すれば比較的容易に外気フィルタを着脱することができる。しかし、キャブの側面にヒンジを設けて点検カバーを取り付けるため、コストアップの要因になるとともに、キャブ全体の美観を損ねることにもなる。
【００１１】
また、何れの構成も、内気フィルタはキャブのドア部で着脱し、外気フィルタはキャブの背面部または側面部で着脱するので、清掃作業が煩雑となり作業者の負担が増大している。
【００１２】
そこで、建設機械の空調装置において、外気フィルタの取り外しをキャブのドア部より行えるようにして、内気フィルタおよび外気フィルタの着脱作業を容易にするために解決すべき技術的課題が生じてくるのであり、本発明はこの課題を解決することを目的とする。
【課題を解決するための手段】
【００１３】
本発明は上記目的を達成するために提案されたものであり、請求項１記載の発明は、建設機械のキャブ内に本体が設けられ、内気循環と外気導入を切換可能に形成された空調装置において、前記キャブのドア側の外側面で当該ドア後方位置に外気導入口を設置し、
上記外気導入口の内側に外気フィルタボックスを設置して上記外気フィルタを収納し、この外気フィルタボックスをキャブ内で乗降口及びドア近傍まで延説し、前記外気フィルタを収納位置から乗降口及びドアまでドア側の外側面に沿ってスライド可能に形成し、
上記外気フィルタには乗降口及びドア方向に把持部を設け、該把持部の先端を上記外気フィルタボックスの乗降口及びドア近傍まで延設し、
上記外気フィルタボックスの延設部分の内側に内気導入口および内気フィルタを設置し、
この外気フィルタ及び内気フィルタを乗降口及びドアの近傍において着脱可能に形成したことを特徴とする建設機械の空調装置を提供する。
【００１４】
この構成によれば、キャブのドア側の外側面に設置した外気導入口から、キャブ周辺の外気が導入され、外気導入口の内側に配置された外気フィルタにより、外気中に含まれた塵埃などの異物が除去されて空調装置に導入される。また、外気フィルタはドア部から着脱することができる。
【００１６】
この構成によれば、外気フィルタは、外気導入口の内側に設置された外気フィルタボックスに収納され、収納位置からドア部までスライド可能であるため、外気フィルタを着脱する際は、収納位置から外気フィルタを引き出してドア部から外気フィルタを取り出す。
【００１８】
この構成によれば、外気フィルタには把持部が設けられてドア部近傍まで延設されているので、この把持部を把持して引き出せば、ドア部から外気フィルタを着脱することができる。
【００２０】
この構成によれば、内気導入口および内気フィルタが外気フィルタボックスの内側に設置されているので、内気フィルタおよび外気フィルタの双方のフィルタをドア部から着脱することができる。
【発明の効果】
【００２１】
請求項１記載の発明は、キャブのドア側の外側面に外気導入口を設置し、この外気導入口の内側に配置された外気フィルタをドア近傍から着脱可能に形成したので、外気中に含まれた塵埃などの異物を除去できるとともに、メンテナンス時にはハウスカバーやフレームカバーなどを取り外すことなく、外気フィルタを着脱することができる。したがって、外気フィルタの着脱が容易となり、作業性が向上できる。また、キャブの側面にヒンジなどで点検カバーを取り付けないので、キャブ全体の美観を向上することができる。
【００２２】
この発明は、外気導入口の内側に外気フィルタボックスを設置して外気フィルタを収納し、この外気フィルタボックスをキャブ内でドア近傍まで延設し、外気フィルタを収納位置からドア近傍までスライド可能に形成したので、上記の効果に加えて、収納位置から外気フィルタを引き出してドア近傍から外気フィルタを取り出すことができる。
【００２３】
この発明は、外気フィルタにはドア方向に把持部を設け、該把持部の先端を外気フィルタボックスのドア近傍まで延設したので、上記の効果に加えて、把持部を把持して引き出すことにより、ドア近傍から外気フィルタを容易に着脱することができる。
【００２４】
上記の効果に加えて、外気フィルタボックスの内側に内気導入口および内気フィルタを設置し、この外気フィルタ及び内気フィルタを乗降口及びドアの近傍において着脱可能に形成したので、フィルタの着脱操作が簡便となり、作業者の負担を軽減することができる。
【発明を実施するための最良の形態】
【００２５】
以下、本発明に係る建設機械の空調装置について、好適な実施例をあげて説明する。外気フィルタの取り外しをキャブのドア部より行えるようにして、内気フィルタおよび外気フィルタの着脱作業を容易にするという目的を達成するために、本発明は建設機械のキャブ内に本体が設けられ、内気循環と外気導入を切換可能に形成された空調装置において、前記キャブのドア側の外側面に外気導入口を設置し、この外気導入口の内側に配置された外気フィルタをドア部から着脱可能に形成したことにより実現した。
【実施例１】
【００２６】
図１は建設機械の一例として油圧ショベル１０を示し、下部走行体１１の上に旋回機構１２を介して上部旋回体１３が旋回自在に載置されている。上部旋回体１３にはその前方一側部にキャブ１４が設けられ、キャブ１４の後方にエンジンや油圧装置などの駆動装置１５が搭載され、ハウスカバー１６にて被蔽してある。また、上部旋回体１３の前方中央部にブーム１７が俯仰可能に取り付けられている。更に、ブーム１７の先端にアーム１８が上下回動自在に取り付けられ、該アーム１８の先端にバケット１９が取り付けられている。
【００２７】
前記キャブ１４内のほぼ中央位置にオペーレータ用のシート２１が設置され、キャブ１４の一側面に乗降口２２を開閉するドア２３が取り付けられている。前記シート２１の後部には空調装置３０が設置され、キャブ１４の側面に外気導入口３１が設けられている。この外気導入口３１には、図９に示した従来型のような点検カバーは取り付けられてなく、キャブ１４の側面に小窓のみを開穿して外気導入口３１が形成されている。
【００２８】
図２〜図４に示すように、前記空調装置３０は、前記外気導入口３１の内側に外気フィルタボックス３２を設置してあり、この外気フィルタボックス３２に外気フィルタ３３が収納されている。この外気フィルタボックス３２は、キャブ１４内で乗降口２２およびドア２３（以下、ドア部という）の近傍まで延設されており、前記外気フィルタ３３が図示した収納位置からドア部までスライド可能に形成されている。
【００２９】
また、前記空調装置３０には、外気導入口３１のほかに内気導入口３４が設けられ、内気導入口３４の内側に設けた内気フィルタボックス３５に内気フィルタ３６が収納されている。内気循環あるいは外気導入で取り入れられたエアは、エアコン本体であるエアコンユニット３７で空調されて、ダクト３８を通過して吹出し口３９からキャブ１４の内部に送り出される。
【００３０】
ここで、前記外気フィルタ３３にはドア部方向に把持部４０が設けられ、該把持部４０の先端は外気フィルタボックス３２のドア部近傍まで延設されて、外気フィルタボックス３２より僅かに突出し、ドア部から把持部４０の先端を把持できるように形成されている。また、内気フィルタ３６にもドア部方向に把持部４１が設けられ、該把持部４１の先端が内気フィルタボックス３５より僅かに突出し、ドア部から把持部４１の先端を把持できるように形成されている。
【００３１】
図５に示すように、空調装置３０のメンテナンスの際、内気フィルタ３６の把持部４１を把持して内気フィルタボックス３５から前方へ引き出して、内気フィルタ３６を取り外す。また、外気フィルタ３３についても同様に、把持部４０を把持して外気フィルタボックス３２から前方へ引き出して、外気フィルタ３３を取り外す。
【００３２】
このように、外気フィルタ３３を着脱するに際して、従来型のように、ハウスカバーやフレームカバーなどを取り外すことなく、ドア部から容易に外気フィルタ３３を取り出すことができ、内気フィルタ３６および外気フィルタ３３の双方のフィルタをドア部から容易に着脱することができるので、フィルタの着脱操作が簡便となり、作業者の負担を軽減することができる。また、キャブ１４の側面にヒンジなどで点検カバーを取り付けないので、キャブ１４全体の美観を向上することができる。
【００３３】
なお、本発明は、本発明の精神を逸脱しない限り種々の改変を為すことができ、そして、本発明が該改変されたものに及ぶことは当然である。
【図面の簡単な説明】
【００３４】
【図１】本発明が適用された油圧ショベルの側面図。
【図２】本発明に係る空調装置の稼動時の状態を示す平面図。
【図３】本発明に係る空調装置の稼動時の状態を示す背面図。
【図４】本発明に係る空調装置の外気フィルタの斜視図。
【図５】本発明に係る空調装置のメンテナンス時の状態を示す平面図。
【図６】従来の空調装置でキャブ背面に外気導入口を設けた構成を示す側面図。
【図７】図６の空調装置の稼動時の状態を示す平面図。
【図８】図６の空調装置のメンテナンス時の状態を示す平面図。
【図９】従来の空調装置でキャブ側面に外気導入口を設けた構成を示す側面図。
【図１０】図９の空調装置の稼動時の状態を示す平面図。
【図１１】図９の空調装置のメンテナンス時の状態を示す平面図。
【符号の説明】
【００３５】
１０  油圧ショベル
１４  キャブ
２２  乗降口（ドア部）
２３  ドア（ドア部）
３０  空調装置
３１  外気導入口
３２  外気フィルタボックス
３３  外気フィルタ
３４  内気導入口
３５  内気フィルタボックス
３６  内気フィルタ
３７  エアコンユニット（本体）
４０  把持部
【図１】
0004717858.tif 000002
【図２】
0004717858.tif 000003
【図３】
0004717858.tif 000004
【図４】
0004717858.tif 000005
【図５】
0004717858.tif 000006
【図６】
0004717858.tif 000007
【図７】
0004717858.tif 000008
【図８】
0004717858.tif 000009
【図９】
0004717858.tif 000010
【図１０】
0004717858.tif 000011
【図１１】
0004717858.tif 000012